(57)【要約】【課題】  ＳＷパルスの立ち上がりエッジがちょうどＶ−ＳＹＮＣの位置と重なっているような場合でも、ＳＷポイントを正確に調整する。【解決手段】  システムコントローラ１０は、ＳＷパルスの立ち上がりエッジとＶ−ＳＹＮＣとの位置関係を予め設定された位置に移動させてビデオテープの再生を開始する第１の手順と、ＳＷパルスの入力タイミングとＤ−ＰＧを検出後の最初のＶ−ＳＹＮＣの入力タイミングとの差から、ＳＷパルスがＶ−ＳＹＮＣの入力タイミングから予め定められた一定量だけ早められるように遅延量を算出する第２の手順とを実行した後、第２の手順で算出した遅延量を用いてＳＷパルスの立ち上がりエッジとＶ−ＳＹＮＣとの位置を調整して、再度、第１の手順と第２の手順とを実行し、この第２の手順で得られた遅延量をＥＥＰＲＯＭ６０に記憶する第３の手順を実行する。【選択図】  図１
2005149556.tif 000002
【特許請求の範囲】
【請求項１】
回転ドラムに配置されたドラムヘッドによりビデオテープから読み出された記録信号に基づいて複合同期信号を抽出する手段と、抽出された複合同期信号から垂直同期信号を抽出する手段と、抽出された垂直同期信号及び、前記回転ドラムを駆動させるドラムモータから出力された回転位置検出用パルス及び回転速度検出用パルスを入力として、前記回転ドラムのヘッド切換タイミングを決定するヘッド切換用パルスの発生タイミングを調整するヘッド切換タイミング調整手段とを備えており、ヘッド切換タイミングの自動調整モード時、前記ヘッド切換タイミング調整手段は、前記ヘッド切換用パルスの立ち上がりエッジと前記垂直同期信号との位置関係を予め設定された位置に移動させてビデオテープの再生を開始する第１の手順と、前記ヘッド切換用パルスの入力タイミングと前記回転位置検出用パルスを検出後の最初の垂直同期信号の入力タイミングとの差から、ヘッド切換用パルスが垂直同期信号の入力タイミングから予め定められた一定量だけ早められるように遅延量を算出する第２の手順と、この第２の手順により算出した遅延量をメモリに記憶する第３の手順とを実行するように構成されたヘッド切換制御装置において、
前記ヘッド切換用タイミング調整手段は、前記第１の手順と第２の手順とを実行した後、前記第２の手順で算出した遅延量を用いて前記ヘッド切換用パルスの立ち上がりエッジと前記垂直同期信号との位置を調整して、再度、第１の手順と第２の手順とを実行し、この第２の手順で得られた遅延量を前記メモリに記憶する第３の手順を実行することを特徴とするヘッド切換制御装置。
【請求項２】
回転ドラムに配置されたドラムヘッドによりビデオテープから読み出された記録信号に基づいて複合同期信号を抽出する手段と、抽出された複合同期信号から垂直同期信号を抽出する手段と、抽出された垂直同期信号及び、前記回転ドラムを駆動させるドラムモータから出力された回転位置検出用パルス及び回転速度検出用パルスを入力として、前記回転ドラムのヘッド切換タイミングを決定するヘッド切換用パルスの発生タイミングを調整するヘッド切換タイミング調整手段とを備えており、ヘッド切換タイミングの自動調整モード時、前記ヘッド切換タイミング調整手段は、前記ヘッド切換用パルスの立ち上がりエッジと前記垂直同期信号との位置関係を予め設定された位置に移動させてビデオテープの再生を開始する第１の手順と、前記ヘッド切換用パルスの入力タイミングと前記回転位置検出用パルスを検出後の最初の垂直同期信号の入力タイミングとの差から、ヘッド切換用パルスが垂直同期信号の入力タイミングから予め定められた一定量だけ早められるように遅延量を算出する第２の手順と、この第２の手順により算出した遅延量をメモリに記憶する第３の手順とを実行するように構成されたヘッド切換制御装置において、
前記ヘッド切換用タイミング調整手段は、前記第１の手順と第２の手順と第３の手順とを実行した後、前記ヘッド切換用パルスの立ち上がりエッジと前記垂直同期信号との実際の差を検出し、この差と前記一定量とから遅延量を算出し、この算出した遅延量をすでに前記メモリに記憶されている遅延量に追加する形で記憶することを特徴とするヘッド切換制御装置。
【請求項３】
回転ドラムに配置されたドラムヘッドによりビデオテープから読み出された記録信号に基づいて複合同期信号を抽出するとともにこの抽出した複合同期信号から垂直同期信号を抽出し、この抽出した垂直同期信号及び、前記回転ドラムを駆動させるドラムモータから出力された回転位置検出用パルス及び回転速度検出用パルスを入力として、前記回転ドラムのヘッド切換タイミングを決定するヘッド切換用パルスの発生タイミングを調整するに際し、前記ヘッド切換用パルスの立ち上がりエッジと前記垂直同期信号との位置関係を予め設定された位置に移動させてビデオテープの再生を開始する第１の手順と、前記ヘッド切換用パルスの入力タイミングと前記回転位置検出用パルスを検出後の最初の垂直同期信号の入力タイミングとの差から、ヘッド切換用パルスが垂直同期信号の入力タイミングから予め定められた一定量だけ早められるように遅延量を算出する第２の手順と、この第２の手順により算出した遅延量をメモリに記憶する第３の手順とからなるヘッド切換制御方法において、
前記第１の手順と第２の手順とを実行した後、前記第２の手順で算出した遅延量を用いて前記ヘッド切換用パルスの立ち上がりエッジと前記垂直同期信号との位置を調整して、再度、第１の手順と第２の手順とを実行し、この第２の手順で得られた遅延量を前記メモリに記憶する第３の手順を実行することを特徴とするヘッド切換制御方法。
【請求項４】
回転ドラムに配置されたドラムヘッドによりビデオテープから読み出された記録信号に基づいて複合同期信号を抽出するとともにこの抽出した複合同期信号から垂直同期信号を抽出し、この抽出した垂直同期信号及び、前記回転ドラムを駆動させるドラムモータから出力された回転位置検出用パルス及び回転速度検出用パルスを入力として、前記回転ドラムのヘッド切換タイミングを決定するヘッド切換用パルスの発生タイミングを調整するに際し、前記ヘッド切換用パルスの立ち上がりエッジと前記垂直同期信号との位置関係を予め設定された位置に移動させてビデオテープの再生を開始する第１の手順と、前記ヘッド切換用パルスの入力タイミングと前記回転位置検出用パルスを検出後の最初の垂直同期信号の入力タイミングとの差から、ヘッド切換用パルスが垂直同期信号の入力タイミングから予め定められた一定量だけ早められるように遅延量を算出する第２の手順と、この第２の手順により算出した遅延量をメモリに記憶する第３の手順とからなるヘッド切換制御方法において、
前記第１の手順と第２の手順と第３の手順とを実行した後、前記ヘッド切換用パルスの立ち上がりエッジと前記垂直同期信号との実際の差を検出し、この差と前記一定量とから遅延量を算出し、この算出した遅延量をすでに前記メモリに記憶されている遅延量に追加する形で記憶することを特徴とするヘッド切換制御方法。
【発明の詳細な説明】
【技術分野】
【０００１】
本発明は、ドラムモータから出力される回転位置検出用パルス（Ｄ−ＰＧ）及び回転速度検出用パルス（Ｄ−ＦＧ）に基づいて生成されたヘッド切換用パルス（ＳＷパルス）により回転ドラムのヘッド切換タイミングを制御するヘッド切換制御装置及びヘッド切換制御方法に係り、特に、ヘッド切換用パルスの発生タイミングの調整制御に関する。
【背景技術】
【０００２】
ビデオカセットレコーダ（ＶＣＲ）においては、再生画像のインターレースが完全に行われ、画像の揺れなどが生じないように、ドラムヘッドを切り換えるためのヘッド切換用パルス（ＳＷパルス）のヘッド切換タイミング（ＳＷポイント）から、５〜８Ｈ（≒３１７．５μｓｅｃ〜５０８μｓｅｃ）の範囲内に垂直同期信号を記録することが、信号規格として定められている。
【０００３】
そのため、回転ドラムに配置されたドラムヘッドのＳＷポイントは、例えば、録再されるビデオテープに記録された垂直同期信号から６．５Ｈ（約４１３μｓｅｃ）だけ早いタイミングに調整しておく必要がある。
【０００４】
この場合、従来のヘッド切換制御装置では、ビデオ装置の製造工程にて、ＳＷパルスが上記ＳＷポイントに立ち上がりまたは立ち下がるように、上記回転ドラムから入力される所定の回転速度検出用パルス（Ｄ−ＦＧ）から同ＳＷパルスの立ち上がりまでの遅延量を半固定抵抗の抵抗値を変化させることで調整していた。
【０００５】
しかし、この調整方法は、手作業により抵抗値の調整を行うため、作業効率が良くなかった。また、手作業であるため、上記遅延量にばらつきを生じやすく、精度の高いＳＷポイント調整が困難であった。
【０００６】
そこで、本出願人は、このＳＷポイントを自動調整するヘッド切換制御装置及びヘッド切換制御方法を提案している（例えば、特許文献１参照）。
【０００７】
このヘッド切換制御装置及びヘッド切換制御方法は、ＳＷポイント自動調整モードにおいて、ＳＷパルスの立ち上がりエッジと垂直同期信号（Ｖ−ＳＹＮＣ）との位置関係を予め設定された位置に移動させてビデオテープの再生を開始する第１の手順と、回転ドラムから入力されるＤ−ＦＧの立ち上がりタイミングを取得するとともに、ビデオＩＣより入力される複合同期信号（Ｃ−ＳＹＮＣ）からＶ−ＳＹＮＣを検出し、クロックパルスをカウントすることにより、Ｖ−ＳＹＮＣの立ち下がりまたは立ち上がりタイミングから６．５Ｈだけ早いタイミングでＳＷパルスが立ち上がりまたは立ち下がるように遅延量を算出する第２の手順と、算出した遅延量をＥＥＰＲＯＭに記憶させる第３の手順とを順次実行するようになっている。これにより、効率良く、かつ、高い精度でＳＷポイント調整を行うことが可能となる。
【特許文献１】特開２００２−２１８３７１号公報
【発明の開示】
【発明が解決しようとする課題】
【０００８】
このように、上記特許文献１では、第１の手順と第２の手順と第３の手順とを、この順番で１回行うことによってＳＷポイントの調整を行っている。
【０００９】
しかし、上記第１の手順を実行するとき、ＳＷパルスの立ち上がりエッジがちょうどＶ−ＳＹＮＣの位置と重なっているような場合には、図４（ｃ）に示すように、Ｖ−ＳＹＮＣの波形がつぶれてしまい、Ｄ−ＰＧを検出後の最初のＶ−ＳＹＮＣの入力タイミングが正確に検出できず、そのため上記第２の手順による計算が正確に行えないといった問題が発生する。ＳＷパルスの立ち上がりエッジとＶ−ＳＹＮＣの位置とは、本来重ならないように設定するのであるが、ヘッドの取り付け時に発生する機構的な誤差等によって、ＳＷパルスの立ち上がりエッジがちょうどＶ−ＳＹＮＣの位置と重なってしまう場合がある。
【００１０】
この場合、Ｖ−ＳＹＮＣの最初の立ち下がり位置が実際には位置ｔ１であるにも係わらず、Ｖ−ＳＹＮＣの波形がつぶれてしまっているために、位置ｔ２がＶ−ＳＹＮＣの最初の立ち下がり位置と判断されてしまう。その結果、ＳＷパルスの立ち上がり位置ｔ３と位置ｔ２との距離が２Ｈと判断され、遅延量は４．５Ｈ（＝６．５Ｈ−２Ｈ）と計算されることになる。つまり、遅延量として４．５Ｈを与えても、実際のＶ−ＳＹＮＣの最初の立ち下がり位置ｔ１から見たときには、遅延量が４Ｈとなり、信号規格を外れてしまうことになる。
【００１１】
図４（ｃ）から明らかなように、Ｖ−ＳＹＮＣの波形がつぶれていなければ、実際のＶ−ＳＹＮＣの最初の立ち下がり位置は位置ｔ１であり、ＳＷパルスの立ち下がり位置ｔ３と位置ｔ１との距離は−０．５Ｈであるから、遅延量は７Ｈ（＝６．５Ｈ−（−０．５Ｈ））でなければならない。
【００１２】
本発明はかかる問題点を解決すべく創案されたもので、その目的は、ＳＷパルスの立ち上がりエッジがちょうどＶ−ＳＹＮＣの位置と重なっているような場合でも、ＳＷポイントを正確に調整することのできるヘッド切換制御装置及びヘッド切換制御方法を提供することにある。
【課題を解決するための手段】
【００１３】
本発明のヘッド切換制御装置は、回転ドラムに配置されたドラムヘッドによりビデオテープから読み出された記録信号に基づいて複合同期信号を抽出する手段と、抽出された複合同期信号から垂直同期信号を抽出する手段と、抽出された垂直同期信号及び、前記回転ドラムを駆動させるドラムモータから出力された回転位置検出用パルス及び回転速度検出用パルスを入力として、前記回転ドラムのヘッド切換タイミングを決定するヘッド切換用パルスの発生タイミングを調整するヘッド切換タイミング調整手段とを備えており、ヘッド切換タイミングの自動調整モード時、前記ヘッド切換タイミング調整手段は、前記ヘッド切換用パルスの立ち上がりエッジと前記垂直同期信号との位置関係を予め設定された位置に移動させてビデオテープの再生を開始する第１の手順と、前記ヘッド切換用パルスの入力タイミングと前記回転位置検出用パルスを検出後の最初の垂直同期信号の入力タイミングとの差から、ヘッド切換用パルスが垂直同期信号の入力タイミングから予め定められた一定量だけ早められるように遅延量を算出する第２の手順と、この第２の手順により算出した遅延量をメモリに記憶する第３の手順とを実行するように構成されたヘッド切換制御装置において、前記ヘッド切換用タイミング調整手段は、前記第１の手順と第２の手順とを実行した後、前記第２の手順で算出した遅延量を用いて前記ヘッド切換用パルスの立ち上がりエッジと前記垂直同期信号との位置を調整して、再度、第１の手順と第２の手順とを実行し、この第２の手順で得られた遅延量を前記メモリに記憶する第３の手順を実行することを特徴とする。
【００１４】
また、本発明のヘッド切換方法は、回転ドラムに配置されたドラムヘッドによりビデオテープから読み出された記録信号に基づいて複合同期信号を抽出するとともにこの抽出した複合同期信号から垂直同期信号を抽出し、この抽出した垂直同期信号及び、前記回転ドラムを駆動させるドラムモータから出力された回転位置検出用パルス及び回転速度検出用パルスを入力として、前記回転ドラムのヘッド切換タイミングを決定するヘッド切換用パルスの発生タイミングを調整するに際し、前記ヘッド切換用パルスの立ち上がりエッジと前記垂直同期信号との位置関係を予め設定された位置に移動させてビデオテープの再生を開始する第１の手順と、前記ヘッド切換用パルスの入力タイミングと前記回転位置検出用パルスを検出後の最初の垂直同期信号の入力タイミングとの差から、ヘッド切換用パルスが垂直同期信号の入力タイミングから予め定められた一定量だけ早められるように遅延量を算出する第２の手順と、この第２の手順により算出した遅延量をメモリに記憶する第３の手順とからなるヘッド切換制御方法において、前記第１の手順と第２の手順とを実行した後、前記第２の手順で算出した遅延量を用いて前記ヘッド切換用パルスの立ち上がりエッジと前記垂直同期信号との位置を調整して、再度、第１の手順と第２の手順とを実行し、この第２の手順で得られた遅延量を前記メモリに記憶する第３の手順を実行することを特徴とする。
【００１５】
すなわち、ヘッド切換用パルス（ＳＷパルス）の立ち上がりエッジがちょうど垂直同期信号（Ｖ−ＳＹＮＣ）の位置と重なっているためにＶ−ＳＹＮＣの波形がつぶれてしまっているような場合でも、最初に行った第２の手順の計算結果を第１の手順に反映させて、再度第１の手順及び第２の手順を実行することで、２回目に第１の手順を実行するときには、ＳＷパルスの立ち上がりエッジとＶ−ＳＹＮＣの位置との重なりが解消されているので、ヘッド切換タイミング（ＳＷポイント）を正確に調整することができる。
【００１６】
また、本発明のヘッド切換制御装置は、回転ドラムに配置されたドラムヘッドによりビデオテープから読み出された記録信号に基づいて複合同期信号を抽出する手段と、抽出された複合同期信号から垂直同期信号を抽出する手段と、抽出された垂直同期信号及び、前記回転ドラムを駆動させるドラムモータから出力された回転位置検出用パルス及び回転速度検出用パルスを入力として、前記回転ドラムのヘッド切換タイミングを決定するヘッド切換用パルスの発生タイミングを調整するヘッド切換タイミング調整手段とを備えており、ヘッド切換タイミングの自動調整モード時、前記ヘッド切換タイミング調整手段は、前記ヘッド切換用パルスの立ち上がりエッジと前記垂直同期信号との位置関係を予め設定された位置に移動させてビデオテープの再生を開始する第１の手順と、前記ヘッド切換用パルスの入力タイミングと前記回転位置検出用パルスを検出後の最初の垂直同期信号の入力タイミングとの差から、ヘッド切換用パルスが垂直同期信号の入力タイミングから予め定められた一定量だけ早められるように遅延量を算出する第２の手順と、この第２の手順により算出した遅延量をメモリに記憶する第３の手順とを実行するように構成されたヘッド切換制御装置において、前記ヘッド切換用タイミング調整手段は、前記第１の手順と第２の手順と第３の手順とを実行した後、前記ヘッド切換用パルスの立ち上がりエッジと前記垂直同期信号との実際の差を検出し、この差と前記一定量とから遅延量を算出し、この算出した遅延量をすでに前記メモリに記憶されている遅延量に追加する形で記憶することを特徴とする。
【００１７】
また、本発明のヘッド切換制御方法は、回転ドラムに配置されたドラムヘッドによりビデオテープから読み出された記録信号に基づいて複合同期信号を抽出するとともにこの抽出した複合同期信号から垂直同期信号を抽出し、この抽出した垂直同期信号及び、前記回転ドラムを駆動させるドラムモータから出力された回転位置検出用パルス及び回転速度検出用パルスを入力として、前記回転ドラムのヘッド切換タイミングを決定するヘッド切換用パルスの発生タイミングを調整するに際し、前記ヘッド切換用パルスの立ち上がりエッジと前記垂直同期信号との位置関係を予め設定された位置に移動させてビデオテープの再生を開始する第１の手順と、前記ヘッド切換用パルスの入力タイミングと前記回転位置検出用パルスを検出後の最初の垂直同期信号の入力タイミングとの差から、ヘッド切換用パルスが垂直同期信号の入力タイミングから予め定められた一定量だけ早められるように遅延量を算出する第２の手順と、この第２の手順により算出した遅延量をメモリに記憶する第３の手順とからなるヘッド切換制御方法において、前記第１の手順と第２の手順と第３の手順とを実行した後、前記ヘッド切換用パルスの立ち上がりエッジと前記垂直同期信号との実際の差を検出し、この差と前記一定量とから遅延量を算出し、この算出した遅延量をすでに前記メモリに記憶されている遅延量に追加する形で記憶することを特徴とする。
【００１８】
すなわち、ヘッド切換用パルス（ＳＷパルス）の立ち上がりエッジがちょうど垂直同期信号（Ｖ−ＳＹＮＣ）の位置と重なっているためにＶ−ＳＹＮＣの波形がつぶれてしまっているような場合でも、第１の手順と第２の手順と第３の手順とを実行した後、ＳＷパルスの立ち上がりエッジとＶ−ＳＹＮＣとの実際の差を検出し、この差と一定量とから遅延量を算出し、この算出した遅延量をすでに前記メモリに記憶されている遅延量に追加する形で記憶して遅延量を補正することで、ヘッド切換タイミング（ＳＷポイント）を正確に調整することができる。
【発明の効果】
【００１９】
本発明のヘッド切換制御装置及びヘッド切換制御方法によれば、ヘッド切換用パルスの立ち上がりエッジがちょうど垂直同期信号の位置と重なっているような場合でも、最初に行った第２の手順の計算結果を第１の手順に反映させて、再度第１の手順及び第２の手順を実行することで、ヘッド切換タイミングを正確に調整することができる。また、第１の手順と第２の手順と第３の手順とを実行した後、ヘッド切換用パルスの立ち上がりエッジと垂直同期信号との実際の差を検出し、この差と一定量とから遅延量を算出し、この算出した遅延量を前記メモリに上書きする形で記憶することで、ヘッド切換タイミングを正確に調整することができる。
【発明を実施するための最良の形態】
【００２０】
以下、本発明の実施の形態について、図面を参照して説明する。
【００２１】
図１は、本発明の一実施形態にかかるビデオ装置の主要構成を示すブロック図である。
【００２２】
同図に示すように、所定のプログラム実行環境を有するシステムコントローラ１０が備えられており、このシステムコントローラ１０には、チューナ２０、ビデオＩＣ３０及びデッキ機構４０が接続されている。
【００２３】
チューナ２０は、システムコントローラ１０から指示された受信周波数に基づいて対応するテレビジョン放送をアンテナにて受信し、所定の信号処理を施してビデオＩＣ３０に放送信号を出力する。
【００２４】
ビデオＩＣ３０では、チューナ２０から入力された放送信号に基づいて、出力端子に供給するための映像信号、音声信号及び同期信号や、ビデオテープに書き込むための記録信号を生成するとともに、ビデオテープの再生時にデッキ機構４０から入力される記録信号に所定の信号処理を施して出力端子に供給するための映像信号、音声信号及び同期信号を生成する。
【００２５】
デッキ機構４０は、システムコントローラ１０に接続されたドラムモータ４１、キャプスタンモータ４２及びローディングモータ４３を備えており、各モータ４１〜４３は、システムコントローラ１０から出力される所定の制御信号に基づいてそれぞれに駆動する。ドラムモータ４１には、回転ドラム４１ａが接続され、この回転ドラム４１ａは、ドラムモータ４１から伝達される駆動力により所定速度で回転し、ビデオＩＣ３０から入力される記録信号をビデオテープに書き込むとともに、ビデオテープから読み出した記録信号をビデオＩＣ３０に出力する。キャプスタンモータ４２には、駆動ベルトやプーリなどを介してキャプスタン４２ａとリール台４２ｂとが連動可能に配置されており、システムコントローラ１０から出力される制御信号に基づいて、キャプスタンモータ４２が作動すると、キャプスタン４２ａとリール台４２ｂとが互いに同期を取りつつ回転駆動され、リール台４２ｂに装着されたリールの間でビデオテープが走行する。
【００２６】
ローディングモータ４３には、ギヤ機構やカム機構などを介してローディング機構４３ａとブレーキ機構４３ｂとが連動可能に配置されており、システムコントローラ１０から出力される制御信号に基づいて、ローディングモータ４３が作動すると、互いに異なるタイミングでローディング機構４３ａとブレーキ機構４３ｂとが駆動される。ローディング機構４３ａは、カセット挿入口からビデオテープの駆動走行が可能な所定位置までテープカセットをローディングさせ、カセット挿入口までテープカセットをアンローディングさせる。また、ブレーキ機構４３ｂは、リール台４２ｂに対して制動を加える。
【００２７】
図２は、システムコントローラ１０における各種信号の入出力状況を示すブロック図である。
【００２８】
同図において、ビデオＩＣ３０から出力された音声信号と複合同期信号（Ｃ−ＳＹＮＣ）とが入力されると、システムコントローラ１０は、Ｃ−ＳＹＮＣから垂直同期信号（Ｖ−ＳＹＮＣ）を検出する。なお、この音声信号は、波形整形回路５０を介することで矩形波パルスに整形されつつ入力される。また、回転ドラム４１ａからは、回転ドラム４１ａの回転速度を示す回転速度検出用パルス（Ｄ−ＦＧ）と回転位置を示す回転位置検出用パルス（Ｄ−ＰＧ）とが入力される。一方、システムコントローラ１０からは、ドラムヘッドの切替タイミング（ＳＷポイント）を制御するためのＳＷパルス（ＲＦ−ＳＷ）が回転ドラム４１ａに出力され、回転ドラム４１ａにおける回転速度や回転位置などを制御するための制御信号がドラムモータ４１に出力される。また、キャプスタン４２ａ及びリール台４２ｂの回転速度や回転位置などを制御するための制御信号がキャプスタンモータ４２に出力され、ローディング機構４３ａ及びブレーキ機構４３ｂを駆動させるための制御信号がローディングモータ４３に出力される。
【００２９】
以下、システムコントローラ１０におけるＳＷポイントの調整動作について説明する。
【００３０】
まず最初に、システムコントローラ１０におけるＳＷポイントの基本的な調整動作について、図３を参照しながら説明する。
【００３１】
ＳＷポイントの調整は、テスト用ビデオテープの再生を開始してＳＷポイント自動調整モードに移行した際、シスコンＩＣにて抽出されるＶ−ＳＹＮＣから６．５Ｈだけ早いタイミングでＲＦ−ＳＷが立ち上がり、もしくは、立ち下がるように、波形を調整させることにより行われる。また、ＲＦ−ＳＷは、システムコントローラ１０に入力されるＤ−ＦＧ及びＤ−ＰＧを基準として生成される。
【００３２】
本実施形態では、Ｄ−ＦＧは、回転ドラム４１ａが一回転する間に２４回立ち上がり、Ｄ−ＰＧは、回転ドラム４１ａが一回転するごとに１回立ち上がる。このため、ＲＦ−ＳＷは、Ｄ−ＰＧが立ち上がった直後のＤ−ＦＧの立ち上がりと、この立ち上がりを一回転中の１回目の立ち上がりとした際の１３回目の立ち上がりを基準として、回転ドラム４１ａが１／２回転するごとに１回立ち上がり、もしくは、立ち下がるように生成される。従って、後に通常のビデオテープが録再される場合、ＲＦ−ＳＷがＨ／Ｌ変化するタイミングで回転ドラム４１ａにおけるドラムヘッドが切替制御される。
【００３３】
具体的には、Ｄ−ＦＧにおける１回目の立ち上がりタイミングと１３回目の立ち上がりタイミングとを基準として、所定の遅延量だけ遅れたタイミングでＲＦ−ＳＷの立ち上がりタイミングもしくは立ち下がりタイミングを設定する。システムコントローラ１０は、内部で生成されるクロックパルスの立ち上がり回数をカウントすることで計時を行っており、この計時に基づいて遅延量を設定し、設定された遅延量を図１に示すＥＥＰＲＯＭ６０に記憶させる。このため、後に通常のビデオテープが録再される場合、システムコントローラ１０は、回転ドラム４１ａから出力されるＤ−ＦＧ及びＤ−ＰＧに基づき、ＥＥＰＲＯＭ６０に記憶された遅延量だけ、Ｄ−ＦＧが１回目に立ち上がるタイミングと１３回目に立ち上がるタイミングから遅らせたタイミングでＲＦ−ＳＷをＨ／Ｌ変化させ、ドラムヘッドの切換制御を行う。
【００３４】
また、システムコントローラ１０は、ビデオテープの再生が開始された際、波形整形回路５０から入力される矩形波パルスに基づいて、同ビデオテープがテスト用ビデオテープであるか否かを判別している。通常、テスト用ビデオテープから読み出された記録信号から抽出される音声信号は、１ｋＨｚなどの正弦波であるため、この抽出された音声信号を整形して得られる矩形波パルスが入力されると、システムコントローラ１０は、ＳＷポイント自動調整モードへ移行してＳＷポイントの調整を開始することができる。
【００３５】
次に、本発明のＳＷポイント自動調整モードにおけるＳＷポイントの自動調整動作の実施形態１について、図４に示す信号波形図、及び図５に示すフローチャートを参照して説明する。
【００３６】
［実施形態１］
システムコントローラ１０は、ビデオテープの再生時、波形整形回路５０から矩形波パルスが入力されると、この矩形波パルスがテスト用ビデオテープに記録された音声信号に基づくものであるか否かを判別する。そして、テスト用ビデオテープに記録された音声信号に基づく矩形波パルスである場合、ＳＷポイント自動調整モードに移行し、ＳＷポイントの調整を開始する。
【００３７】
すなわち、システムコントローラ１０は、ＳＷパルスの立ち上がりエッジとＶ−ＳＹＮＣとの位置関係を予め設定された位置に移動させてビデオテープの再生を開始する（ステップＳ１：第１の手順）。そして、回転ドラム４１ａからＤ−ＦＧ及びＤ−ＰＧが入力されると、Ｄ−ＰＧの立ち上がり直後における１回目のＤ−ＦＧの立ち上がりタイミングと、１３回目のＤ−ＦＧの立ち上がりタイミングとを取得するとともに、ビデオＩＣ３０から入力されるＣ−ＳＹＮＣからＶ−ＳＹＮＣを検出し、システムコントローラ１０自身が生成するクロックパルスをカウントすることにより、Ｄ−ＦＧの各立ち上がりタイミングからの計時を行って、Ｖ−ＳＹＮＣの立ち下がりタイミングから６．５Ｈだけ早いタイミングでＲＦ−ＳＷが立ち上がりまたは立ち下がるように遅延量を算出する（ステップＳ２：第２の手順）。
【００３８】
この場合に算出された遅延量は、通常は正確な遅延量が算出されているが、上記従来技術の図４（ｃ）に示したように、ＳＷパルスの立ち上がりエッジがちょうどＶ−ＳＹＮＣの位置と重なっているためにＶ−ＳＹＮＣの波形がつぶれてしまっているような場合には、正確な遅延量が算出できない。
【００３９】
そこで、本実施形態１では、このような不具合を考慮し、最初に行った第２の手順での計算結果である遅延量を第１の手順に反映（ステップＳ３でＮｏと判断）させて、ＳＷパルスの発生タイミングを遅らせた後、再度、第１の手順（ステップＳ１）及び第２の手順（ステップＳ２）を実行する。
【００４０】
すなわち、図４（ｃ）の例で言えば、最初に行った第２の手順の計算結果である４．５ＨだけＳＷパルスの発生タイミングを遅らせる。その結果、２回目に第１の手順を実行するときには、ＳＷパルスの立ち上がりエッジとＶ−ＳＹＮＣの位置との関係は図４（ａ）に示す状態になっており、重なりが解消されていいる。そのため、この状態で第２の手順を実行すると、算出される遅延量は２Ｈ（＝６．５Ｈ−４．５Ｈ）となり、システムコントローラ１０は、この遅延量をＥＥＰＲＯＭ６０に記憶する（ステップＳ４）。これにより、図４（ｂ）に示すように、ＳＷポイントを正確に調整することができる。
【００４１】
［実施形態２］
上記実施形態１では、第１の手順と第２の手順を２回繰り返すことにより、ＳＷパルスの立ち上がりエッジがちょうどＶ−ＳＹＮＣの位置と重なっているためにＶ−ＳＹＮＣの波形がつぶれてしまっているような場合でも、ＳＷポイントを正確に調整することを可能としているが、本実施形態２では、第１の手順と第２の手順を繰り返すことなく、ＳＷポイントを正確に調整することを可能としている。以下、図６に示すフローチャートを参照して説明する。
【００４２】
すなわち、システムコントローラ１０は、ＳＷパルスの立ち上がりエッジとＶ−ＳＹＮＣとの位置関係を予め設定された位置に移動させてビデオテープの再生を開始する（ステップＳ１１：第１の手順）。そして、回転ドラム４１ａからＤ−ＦＧ及びＤ−ＰＧが入力されると、Ｄ−ＰＧの立ち上がり直後における１回目のＤ−ＦＧの立ち上がりタイミングと、１３回目のＤ−ＦＧの立ち上がりタイミングとを取得するとともに、ビデオＩＣ３０から入力されるＣ−ＳＹＮＣからＶ−ＳＹＮＣを検出し、システムコントローラ１０自身が生成するクロックパルスをカウントすることにより、Ｄ−ＦＧの各立ち上がりタイミングからの計時を行って、Ｖ−ＳＹＮＣの立ち下がりタイミングから６．５Ｈだけ早いタイミングでＲＦ−ＳＷが立ち上がりまたは立ち下がるように遅延量を算出する（ステップＳ１２：第２の手順）。この後、算出した遅延量をＥＥＰＲＯＭ６０に記憶する（ステップＳ１３：第３の手順）。
【００４３】
この場合に算出された遅延量は、通常は正確な遅延量が算出されているが、上記従来技術の図４（ｃ）に示したように、ＳＷパルスの立ち上がりエッジがちょうどＶ−ＳＹＮＣの位置と重なっているためにＶ−ＳＹＮＣの波形がつぶれてしまっているような場合には、正確な遅延量が算出できない。
【００４４】
一方、システムコントローラ１０では、この時点で現在のＳＷポイントがＶ−ＳＹＮＣから何Ｈの距離にあるかは認識できるので、ＳＷパルスの立ち上がりエッジとＶ−ＳＹＮＣとの実際の差を検出し（ステップＳ１４）、この差と一定量とから遅延量を算出し（ステップＳ１５）、この算出した遅延量を、すでにＥＥＰＲＯＭ６０に記憶されている遅延量に追加する形で記憶する（ステップＳ１６）。これにより、ＳＷポイントを正確に調整することができる。
【００４５】
すなわち、図４（ｃ）の例で言えば、第１の手順と第２の手順と第３の手順とを行った時点で、ＥＥＰＲＯＭ６０には４．５Ｈが記憶されることになる。そして、この４．５Ｈの遅延量を与えて実際に制御し、ステップＳ１４で実際の差を検出すると、ＳＷパルスの立ち上がりエッジとＶ−ＳＹＮＣの立ち下がりエッジとの実際の差は４Ｈ（＝４．５（遅延量）−０．５（ｔ１とｔ３との差））となるので、ステップＳ１５では、この差（４Ｈ）と一定量（６．５Ｈ）との差を算出し、その算出した差（＝２．５Ｈ）を、すでにＥＥＰＲＯＭ６０に記憶されている遅延量（＝４．５Ｈ）に追加する形で記憶して、遅延量を補正する。すなわち、この場合には、最終的にＥＥＰＲＯＭ６０に記憶される遅延量は７Ｈとなる。
【００４６】
図４（ｃ）から明らかなように、ＳＷパルスの実際の立ち上がり位置（ｔ３）は、実際の最初のＶ−ＳＹＮＣの立ち下がり位置（ｔ１）より０．５Ｈ遅くなっており、これに７Ｈの遅延を与えることで、ＳＷパルスの立ち上がりが実際の最初のＶ−ＳＹＮＣの立ち上がりから６．５Ｈだけ早められることになる。
【図面の簡単な説明】
【００４７】
【図１】本発明の一実施形態にかかるビデオ装置の主要構成を示すブロック図である。
【図２】システムコントローラ１０における各種信号の入出力状況を示すブロック図である。
【図３】ＳＷパルスの立ち上がりタイミングと立ち下がりタイミングとを示す波形図である。
【図４】ＳＷパルスの立ち上がりタイミングとＶ−ＳＹＮＣとの位置関係を示す波形図である。
【図５】本発明の実施形態１に係るＳＷポイントの自動調整動作の処理の流れを示すフローチャートである。
【図６】本発明の実施形態２に係るＳＷポイントの自動調整動作の処理の流れを示すフローチャートである。
【符号の説明】
【００４８】
１０  システムコントローラ
２０  チューナ
３０  ビデオＩＣ
４０  デッキ機構
４１  ドラムモータ
４１ａ  回転ドラム
４２  キャプスタンモータ
４２ａ  キャプスタン
４２ｂ  リール台
４３  ローディングモータ
４３ａ  ローディング機構
４３ｂ  ブレーキ機構
５０  波形整形回路
６０  ＥＥＰＲＯＭ
【図１】
2005149556.tif 000003
【図２】
2005149556.tif 000004
【図３】
2005149556.tif 000005
【図４】
2005149556.tif 000006
【図５】
2005149556.tif 000007
【図６】
2005149556.tif 000008